(57)【要約】【課題】  十分な伝播状況の検出精度を得るのに必要な連続時間を確保し、かつ検出中においても現状の通信を途切れることなく維持すること。【解決手段】  マルチキャリア通信を行っている端末１０２に対して、基地局１０１が現在使用中のサブキャリアの一部を一時的に送信停止とする旨を通知する。端末１０２はこの通知された情報に基づいて、送信が停止された期間、送信が停止されたサブキャリアの周波数を持つ電波の状況を測定する。基地局１０１と端末１０２は、送信が停止されていないサブキャリアを用いて通信を継続する。【選択図】  図１
2005094672.tif 000002
【特許請求の範囲】
【請求項１】
第１の通信装置と第２の通信装置との間で複数のサブキャリアを使って通信を行うマルチキャリア通信方法において、
前記第１の通信装置が、前記第２の通信装置に対して、使用中のサブキャリアの一部を第１の期間使用停止とする旨を通知し、
前記第１の通信装置が、前記第２の通信装置に通知した情報に基づいて、前記第１の期間一部のサブキャリアの使用を停止し、
前記第２の通信装置は、前記第１の通信装置から通知された情報に基づき、前記第１の期間、使用停止が通知されたサブキャリアの周波数領域の電波状況を検出し、
前記第２の通信装置は、前記第１の期間、使用停止が通知されたサブキャリア以外のサブキャリアを用いて第１の通信装置との通信を継続することを特徴とするマルチキャリア通信方法。
【請求項２】
第１の通信装置と第２の通信装置との間で複数のサブキャリアを使って通信を行うマルチキャリア通信方法において、
前記第１の通信装置が、前記第２の通信装置に対して、使用中のサブキャリアの一部を第１の期間使用停止とする旨を通知し、
前記第１の通信装置が、前記第２の通信装置に通知した情報に基づいて、前記第１の期間一部のサブキャリアの使用を停止し、
前記第２の通信装置は、前記第１の通信装置から通知された情報に基づき、前記第１の期間、前記第１の通信装置とは異なる第３の通信装置から送信される信号をサーチし、
前記第２の通信装置は、前記第１の期間、使用停止が通知されたサブキャリア以外のサブキャリアを用いて第１の通信装置との通信を継続することを特徴とするマルチキャリア通信方法。
【請求項３】
前記第３の通信装置と前記第１の通信装置とは同期が取られていることを特徴とする請求項１または２記載のマルチキャリア通信方法。
【請求項４】
第１の通信装置と第２の通信装置との間で複数のサブキャリアを使って通信を行うマルチキャリア通信システムにおいて、
前記第１の通信装置に設けられ、前記第２の通信装置に対して、使用中のサブキャリアの一部を第１の期間使用停止とする旨を通知する通知手段と、
前記第２の通信装置に設けられ、前記第１の通信装置が前記第２の通信装置に通知した情報に基づいて、前記第１の期間一部のサブキャリアの使用を停止する手段と、
前記第２の通信装置に設けられ、前記第１の通信装置から通知された情報に基づき、前記第１の期間、使用停止が通知されたサブキャリアの周波数領域の電波状況を検出する検出手段と、
前記第２の通信装置に設けられ、前記第１の期間、使用停止が通知されたサブキャリア以外のサブキャリアを用いて第１の通信装置との通信を継続する通信手段とを具備したことを特徴とするマルチキャリア通信システム。
【請求項５】
第１の通信装置と第２の通信装置との間で複数のサブキャリアを使って通信を行うマルチキャリア通信システムにおいて、
前記第１の通信装置に設けられ、前記第２の通信装置に対して、使用中のサブキャリアの一部を第１の期間使用停止とする旨を通知する通知手段と、
前記第１の通信装置に設けられ、前記第２の通信装置に通知した情報に基づいて、前記第１の期間一部のサブキャリアの使用を停止する停止手段と、
前記第２の通信装置に設けられ、前記第１の通信装置から通知された情報に基づき、前記第１の期間、前記第１の通信装置とは異なる第３の通信装置から送信される信号をサー
チするサーチ手段と、
前記第２の通信装置に設けられ、前記第１の期間、使用停止が通知されたサブキャリア以外のサブキャリアを用いて第１の通信装置との通信を継続する通信手段とを具備したことを特徴とするマルチキャリア通信システム。
【請求項６】
前記停止手段は、前記第１の期間に使用停止とするサブキャリアにヌル信号を挿入することを特徴とする請求項４または５記載のマルチキャリア通信システム。
【請求項７】
複数のサブキャリアを使って通信を行うマルチキャリア通信システムで用いられる通信装置において、
通信相手先である端末装置に対して、使用中のサブキャリアの一部を第１の期間使用停止とする旨を通知する通知手段と、
前記通知手段が通知した情報に基づいて、前記第１の期間一部のサブキャリアの使用を停止する停止手段と、
前記第１の期間、使用停止が通知されたサブキャリア以外のサブキャリアを用いて前記端末装置との通信を継続する通信手段とを具備したことを特徴とするマルチキャリア通信システムで用いられる通信装置。
【請求項８】
複数のサブキャリアを使って無線基地局と通信を行うマルチキャリア通信システムで用いられる通信装置において、
前記無線基地局から通知される使用中のサブキャリアの一部を第１の期間使用停止とする旨の情報を受信する受信手段と、
前記受信手段で受信した前記通知に基づき、前記第１の期間、使用停止が通知されたサブキャリアの周波数領域の電波状況を検出する検出手段と、
前記第１の期間、使用停止が通知されたサブキャリア以外のサブキャリアを用いて前記無線基地局との通信を継続する通信手段とを具備したことを特徴とするマルチキャリア通信システムで用いられる通信装置。
【請求項９】
複数のサブキャリアを使って無線基地局と通信を行うマルチキャリア通信システムで用いられる通信装置において、
前記無線基地局から通知される使用中のサブキャリアの一部を第１の期間使用停止とする旨の情報を受信する受信手段と、
前記受信手段で受信した通知情報に基づき、前記第１の期間、前記無線基地局とは異なる他の通信装置から送信される信号をサーチするサーチ手段と、
前記第１の期間、使用停止が通知されたサブキャリア以外のサブキャリアを用いて前記無線基地局との通信を継続する通信手段とを具備したことを特徴とするマルチキャリア通信システムで用いられる通信装置。
【発明の詳細な説明】
【技術分野】
【０００１】
この発明は、例えばＯＦＤＭ（Ｏｔｈｏｇｏｎａｌ  Ｆｒｅｑｕｅｎｃｙ  Ｄｉｖｉｓｉｏｎ  Ｍｕｌｔｉｐｌｅｘｉｎｇ）通信のような複数のサブキャリアを用いるマルチキャリア通信方法、マルチキャリア通信システムおよびこのシステムで用いられる通信装置に関する。
【背景技術】
【０００２】
第三世代携帯電話として知られるＷ−ＣＤＭＡシステムには「コンプレストモード」と呼ばれる通信モードがある。この通信モードは、ある一定期間、基地局と端末において同時に信号の送信を停止し（この信号送信停止期間を「ギャップ」と呼ぶ）、このギャップの期間を用いて、端末は受信できる周波数帯を切換え、Ｗ−ＣＤＭＡ以外の他通信システムの検出を行うことができる（例えば、非特許文献１参照。）。
【０００３】
端末の存在するエリアが、Ｗ−ＣＤＭＡシステムとＧＳＭシステムのサービスエリア内であった場合、「コンプレストモード」を備えた端末はギャップの期間、ＧＳＭシステムでサービスされている無線信号を検出できるのである。この「コンプレストモード」によって、仮にギャップ期間で検出したＧＳＭシステムの無線信号の品質が、Ｗ−ＣＤＭＡシステムで通信を行っていた無線信号の品質より良い場合、Ｗ−ＣＤＭＡシステムからＧＳＭシステムに変更するといったオプションも可能となる。
【非特許文献１】3GPP TS 25.212 V3.6.0 (2001 - 06) (Release 1999) p.52 4.4 Compressed Mode
【発明の開示】
【発明が解決しようとする課題】
【０００４】
Ｗ−ＣＤＭＡのコンプレストモードでは、ある一つの端末に着目した場合、一定期間、時間軸上のギャップをつくる事によって、その端末と基地局との間ではＷ−ＣＤＭＡシステムでの送信信号が全く無い状態になる。すなわち、全てのキャリアで送信を停止するため、ギャップ期間は端末と基地局との間でデータの通信が一時的に行われなくなる。
【０００５】
リアルタイムデータ通信中では、大きなギャップを作るとデータが途切れてしまう。音声データのようなリアルタイムデータ通信中では、音声が途切れることになる。ゆえに、Ｗ−ＣＤＭＡのコンプレストモードでは、ギャップ期間はごく短いものとなるよう配慮がなされている。しかし、ギャップを短くすると、端末が他システムの検出を行う際に、必要な情報を得るのに十分な検出時間を取ることができなくなる。
【０００６】
十分な検出時間を確保するため細かいギャップを連続して作ることが考えられるが、細かいギャップを連続すると、他システムの検出を開始してから、終了するまでに時間がかかるため、検出開始時点の伝搬状況と検出終了時点の伝搬状況が異なってしまい、検出精度の劣化につながる。
【０００７】
本発明は、上記に鑑みてなされたものであって、十分な伝播状況の検出精度を得るのに必要な連続時間を確保し、かつ検出中においても現状の通信を途切れることなく維持することができるマルチキャリア通信方法を得ることを目的とする
【課題を解決するための手段】
【０００８】
上述した課題を解決し、目的を達成するために、本発明の一態様は、第１の通信装置と
第２の通信装置との間で複数のサブキャリアを使って通信を行うマルチキャリア通信方法において、前記第１の通信装置が、前記第２の通信装置に対して、使用中のサブキャリアの一部を第１の期間使用停止とする旨を通知し、前記第１の通信装置が、前記第２の通信装置に通知した情報に基づいて、前記第１の期間一部のサブキャリアの使用を停止し、前記第２の通信装置は、前記第１の通信装置から通知された情報に基づき、前記第１の期間、使用停止が通知されたサブキャリアの周波数領域の電波状況を検出し、前記第２の通信装置は、前記第１の期間、使用停止が通知されたサブキャリア以外のサブキャリアを用いて第１の通信装置との通信を継続することを特徴とする。
【０００９】
別の態様として、第１の通信装置と第２の通信装置との間で複数のサブキャリアを使って通信を行うマルチキャリア通信方法において、前記第１の通信装置が、前記第２の通信装置に対して、使用中のサブキャリアの一部を第１の期間使用停止とする旨を通知し、
前記第１の通信装置が、前記第２の通信装置に通知した情報に基づいて、前記第１の期間一部のサブキャリアの使用を停止し、前記第２の通信装置は、前記第１の通信装置から通知された情報に基づき、前記第１の期間、前記第１の通信装置とは異なる第３の通信装置から送信される信号をサーチし、前記第２の通信装置は、前記第１の期間、使用停止が通知されたサブキャリア以外のサブキャリアを用いて第１の通信装置との通信を継続することを特徴とする。
【００１０】
本発明のマルチキャリア通信システムは、第１の通信装置と第２の通信装置との間で複数のサブキャリアを使って通信を行うマルチキャリア通信システムであって、前記第１の通信装置に設けられ、前記第２の通信装置に対して、使用中のサブキャリアの一部を第１の期間使用停止とする旨を通知する通知手段と、前記第２の通信装置に設けられ、前記第１の通信装置が前記第２の通信装置に通知した情報に基づいて、前記第１の期間一部のサブキャリアの使用を停止する手段と、前記第２の通信装置に設けられ、前記第１の通信装置から通知された情報に基づき、前記第１の期間、使用停止が通知されたサブキャリアの周波数領域の電波状況を検出する検出手段と、前記第２の通信装置に設けられ、前記第１の期間、使用停止が通知されたサブキャリア以外のサブキャリアを用いて第１の通信装置との通信を継続する通信手段とを具備したことを特徴としている。
【００１１】
本発明のマルチキャリア通信システムの別の態様としては、前記第１の通信装置に設けられ、前記第２の通信装置に対して、使用中のサブキャリアの一部を第１の期間使用停止とする旨を通知する通知手段と、前記第１の通信装置に設けられ、前記第２の通信装置に通知した情報に基づいて、前記第１の期間一部のサブキャリアの使用を停止する停止手段と、前記第２の通信装置に設けられ、前記第１の通信装置から通知された情報に基づき、前記第１の期間、前記第１の通信装置とは異なる第３の通信装置から送信される信号をサーチするサーチ手段と、前記第２の通信装置に設けられ、前記第１の期間、使用停止が通知されたサブキャリア以外のサブキャリアを用いて第１の通信装置との通信を継続する通信手段とを具備したことを特徴としている。
【００１２】
本発明のマルチキャリア通信システムで用いられる通信装置は、複数のサブキャリアを使って通信を行うマルチキャリア通信システムで用いられる通信装置であって、通信相手先である端末装置に対して、使用中のサブキャリアの一部を第１の期間使用停止とする旨を通知する通知手段と、前記通知手段が通知した情報に基づいて、前記第１の期間一部のサブキャリアの使用を停止する停止手段と、前記第１の期間、使用停止が通知されたサブキャリア以外のサブキャリアを用いて前記端末装置との通信を継続する通信手段とを具備したことを特徴としている。
【００１３】
本発明のマルチキャリア通信システムで用いられる通信装置はさらに、複数のサブキャリアを使って無線基地局と通信を行うマルチキャリア通信システムで用いられる通信装置
であって、前記無線基地局から通知される使用中のサブキャリアの一部を第１の期間使用停止とする旨の情報を受信する受信手段と、前記受信手段で受信した前記通知に基づき、前記第１の期間、使用停止が通知されたサブキャリアの周波数領域の電波状況を検出する検出手段と、前記第１の期間、使用停止が通知されたサブキャリア以外のサブキャリアを用いて前記無線基地局との通信を継続する通信手段とを具備したことを特徴としている。
【００１４】
本発明のマルチキャリア通信システムで用いられる通信装置はさらに、複数のサブキャリアを使って無線基地局と通信を行うマルチキャリア通信システムで用いられる通信装置であって、前記無線基地局から通知される使用中のサブキャリアの一部を第１の期間使用停止とする旨の情報を受信する受信手段と、前記受信手段で受信した通知情報に基づき、前記第１の期間、前記無線基地局とは異なる他の通信装置から送信される信号をサーチするサーチ手段と、前記第１の期間、使用停止が通知されたサブキャリア以外のサブキャリアを用いて前記無線基地局との通信を継続する通信手段とを具備したことを特徴としている。
【発明の効果】
【００１５】
本発明によれば、伝搬状況の十分な検出精度を得るのに必要な連続時間を確保し、かつ、前記検出中においても現状の通信を途切れることなく維持することができるという効果を奏する。
【発明を実施するための最良の形態】
【００１６】
以下に添付図面を参照して、この発明にかかるマルチキャリア通信方法、マルチキャリア通信システムおよびこのシステムで用いられる通信装置の最良の形態を詳細に説明する。
【実施例１】
【００１７】
図１は、本発明の第１の実施例にかかるマルチキャリア通信方法の手順を示す遷移図である。かかる手順に従うことで、伝搬状況の十分な検出精度を得るのに必要な連続時間を確保し、かつ、前記検出中においても現状の通信を途切れることなく維持することができるが、かかる手順の説明に先立ち、システム構成および各通信装置の構成について説明する。
【００１８】
図２は、本発明の第１の実施例にかかるマルチキャリア通信システムの構成例を示す図である。基地局１０１は図示しない通信ネットワークネットワーク、たとえば携帯電話のネットワークと接続されており、基地局１０１がカバーするエリア内に存在する携帯電話端末（以下、「端末」と称する）１０２との間でマルチキャリアを用いた通信を行っている。この実施形態では、周波数ｆ０からｆ５がそれぞれ割りあてられた６つのサブキャリアを用いて通信を行う。通信方式はＯＦＤＭ方式を用いる。
【００１９】
図３は、各サブキャリアの番号と周波数との対応関係を示す図である。横軸を時間、縦軸を周波数としている。本実施形態では、説明を簡略化するためにサブキャリアの数を６とした場合を例にあげて説明する。
【００２０】
図１に示すように、本実施例におけるマルチキャリア通信方法では、端末１０２から、適応変調、サブキャリアのユーザ割り当て、ハンドオーバ等に用いるため、電波状態測定要求が発せられる。（ステップ１ａ）
この要求を受けた基地局１０１では、送信停止予定サブキャリアとその送信停止の時間の情報を端末１０２に通知する。（ステップ１ｂ）
例えば、端末１０２から基地局１０１への電波状態測定要求では、端末１０２から電波を測定したい周波数帯（例えば、サブキャリア＃１、＃２、＃３、＃４の周波数領域）の
希望を受け渡す。基地局１０１では、この周波数帯の送信を停止できる時間を考えて、端末１０２に対して、送信停止時間とタイミングを一意に決定できるような情報（例えば、送信停止開始フレーム番号とシンボル番号、停止期間シンボル数）を端末１０２に受け渡す。これらの情報は制御信号として、一般のデータより誤り耐性の強い符号化を行って送信する。
【００２１】
基地局１０１は、通知した情報に基づいて一部のサブキャリアを所定の期間、送信を停止する。一方で、端末１０１は、基地局１０１から通知された情報に基づき、所定の期間、使用停止が通知されたサブキャリアの周波数領域の電波状況を測定、検出する。
【００２２】
図４にサブキャリアの送信停止の様子を示す。図４のように、基地局１０１はサブキャリア＃５を時刻ｎ−１からｎ＋４までの期間、信号の送信を停止する。同様に、サブキャリア＃４を時刻ｎからｎ＋６まで、サブキャリア＃３を時刻ｎ＋２からｎ＋８まで、サブキャリア＃２を時刻ｎ＋４からｎ＋１０まで、サブキャリア＃１を時刻ｎ＋６からｎ＋１２まで、サブキャリア＃０を時刻ｎ＋８からｎ＋１４（但し、図４ではｎ＋１２までのみ記載）まで、それぞれ使用を停止する。
【００２３】
端末１０２は、停止をしていないサブキャリアを用いて基地局１０１との通信を維持しながら、一時的に送信を停止したサブキャリアの周波数を用いて電波の状態を測定する。例えば、時刻ｎ＋５においては、サブキャリア＃０、＃１、＃５で基地局１０１と通信を行いながら、サブキャリア＃３に相当する周波数帯ｆ３での電波状態を測定する。ここでの電波状態とは、基地局１０１以外の物、例えば、他セルの基地局、他端末、他システムなどから発生される電力や、基地局１０１から送信している他のサブキャリアからシンボル間干渉電力、熱雑音など、そのサブキャリアを用いて通信を行うにあたり、不必要である電力である。同様に、時刻ｎ＋９においては、サブキャリア＃３、＃４、＃５で基地局１０１と通信を行いながら、サブキャリア＃１に相当する周波数帯ｆ１での電波状態を測定する。
【００２４】
測定した電波状態は、サブキャリア毎の適応変調における変調方式や符号化方式の判断材料や、電波状態の劣悪なサブキャリアの使用を停止する処理の判断材料に用いることができる。また、周辺セルから送信されている共通パイロット信号の強弱を測定することにより、周辺基地局からの電波状態を把握し、セル間ハンドオーバを行うかどうかの判断材料に用いる。
【００２５】
本実施例では、基地局１０１が各周波数帯において順次サブキャリアの送信を停止しているので、端末１０２は各周波数帯の電波の状態を把握でき、最低でも３つのサブキャリアによって基地局１０１と端末１０２の通信は維持することができる。このことにより、端末１０１は基地局１０１との通信を切断することなく、通信を維持するので、従来の方法より長い送信停止時間を用いて、高精度に任意の周波数帯における電波状態を把握することができる。
【００２６】
図５は上記動作を行う基地局１０１の送信機構成を示すブロック図、図６は端末１０２の受信機構成を示すブロック図である。
【００２７】
図５の基地局１０１の送信機は、ＱＰＳＫ変調部５０１、ヌル信号生成部５０２、シリアル／パラレル（Ｓ／Ｐ）変換部５０３、逆高速フーリエ変換（ＩＦＦＴ）部５０４、パラレル／シリアル（Ｐ／Ｓ）変換部５０５、ガードインターバル（ＧＩ）付加部５０６、送信停止領域制御部５０７を含む。
【００２８】
ＱＰＳＫ変調部５０１は伝送すべき信号である入力信号Ｓ５０１をＱＰＳＫ変調する。
【００２９】
ヌル信号生成部５０２は、Ｉ成分、Ｑ成分が共に０の電力を持つヌル信号Ｓ５０３を発生する。
【００３０】
シリアル／パラレル（Ｓ／Ｐ）変換部５０３は、ＱＰＳＫ変調された信号Ｓ５０２とヌル信号Ｓ５０３を入力し、並列信号Ｓ５０４に変換する。直列並列変換回路５０３はここで変調信号Ｓ５０２とヌル信号Ｓ５０３の読み出し順序を変えることで、所望のサブキャリアにヌル信号Ｓ５０３を挿入できるのである。
【００３１】
逆高速フーリエ変換（ＩＦＦＴ）部５０４は、入力する並列信号Ｓ５０４にＩＦＦＴ（逆高速フーリエ変換）を施す。
【００３２】
パラレル／シリアル（Ｐ／Ｓ）変換部５０５は、ＩＦＦＴが施された信号Ｓ５０５をシリアルデータに変換する。
【００３３】
ガードインターバル（ＧＩ）付加部５０６は、シリアル信号Ｓ５０６が入力され所定のガードインターバルを付加し、送信信号としてＳ５０７を出力する。この信号が図示しない無線部に送られ高周波に変換されて端末１０２に送られる。
【００３４】
送信停止領域制御部５０７は、前述した図４に示した送信停止時間および送信停止サブキャリアを把握していて、制御信号Ｓ５０８およびＳ５０９を用いて、ヌル信号生成部５０２およびシリアル／パラレル（Ｓ／Ｐ）変換部５０３に対して、送信停止時間において信号を送信しない領域を作るような制御を行う。
【００３５】
一方、図６の端末１０２の受信機は、ガードインターバル（ＧＩ）除去部６０１、シリアル／パラレル（Ｓ／Ｐ）変換部６０２、高速フーリエ変換（ＦＦＴ）部６０３、パラレル／シリアル（Ｐ／Ｓ）変換部６０４、ＱＰＳＫ復調部６０５、帯域通過型フィルタ部（ＢＰＦ）６０６、電波状態測定部６０７、測定領域制御部６０８を含む。
【００３６】
ガードインターバル（ＧＩ）除去部６０１は、受信された入力信号Ｓ６０１からガードインターバルを除去する。
【００３７】
シリアル／パラレル（Ｓ／Ｐ）変換部６０２は、ガードインターバルが除去された信号Ｓ６０２をパラレル信号Ｓ６０３に変換する。
【００３８】
高速フーリエ変換（ＦＦＴ）部６０３は、パラレル信号Ｓ６０３に高速フーリエ変換を施してＳ６０４を出力する。
【００３９】
パラレル／シリアル（Ｐ／Ｓ）変換部６０４は、パラレル信号Ｓ６０４をシリアル信号Ｓ６０５に変換する。このときパラレル／シリアル（Ｐ／Ｓ）変換部６０４では、測定領域制御部６０８からの制御により基地局１０１がサブキャリアの送信を停止した期間において、そのサブキャリアに対応する信号を出力しない。
【００４０】
ＱＰＳＫ復調部６０５はＱＰＳＫ復調を行い、復号した信号Ｓ６０６を出力する。
【００４１】
測定領域制御部６０８では、基地局１０１から送信された停止予定サブキャリアおよび停止時間の情報から、端末が電波状態を測定する時間および周波数領域を設定し、電波状態を測定する時間では制御信号Ｓ６０９を用いてスイッチ６０９をＯＮにして、制御信号Ｓ６１１を用いて帯域通過型フィルタ６０６における通過させる周波数帯域を電波状態の測定する周波数に設定する。また、制御信号Ｓ６１２を用いて、電波状態測定部６０７に
対して、電波状態測定のタイミングを知らせる。さらに、制御信号Ｓ６１０で、パラレル／シリアル（Ｐ／Ｓ）変換部６０４、基地局が送信を停止しているサブキャリアを出力しないように制御する。
【００４２】
帯域通過型フィルタ（ＢＰＦ）６０６は、前述したように、基地局１０１がサブキャリアの送信を停止した期間において、スイッチ６０９がＯＮとなり、基地局１０１がサブキャリアの送信を停止した期間においてそのサブキャリアの周波数帯域を通過させる。
【００４３】
電波状態測定部６０７は、帯域通過型フィルタ（ＢＰＦ）６０６の出力信号Ｓ６０７の周波数帯における電波状況を測定する。
【００４４】
本実施例では、端末１０２は基地局１０１との通信を維持しながら各周波数帯の電波の状態を把握できる。したがって、従来の方法より、基地局と端末との通信を切断することなく高精度に任意の周波数帯における電波状態を把握することができる。
【００４５】
把握した電波状態は、サブキャリア毎の適応変調における変調方式や符号化方式の判断材料、電波状態の劣悪なサブキャリアの使用を停止する処理の判断材料に用いる。周辺基地局から送信されている共通パイロット信号などの電力の強弱を把握することにより、周辺基地局との距離などを把握し、セル間ハンドオーバの準備を行うための事前準備の材料として用いる。
【実施例２】
【００４６】
図７は、本発明の第２の実施例にかかるマルチキャリア通信システムの構成例である。図７において基地局７０１と端末７０２は、図２の例と同様、各周波数に割りあてられたサブキャリアを用いて通信しているが、端末７０２は他セルもしくは他システムからの干渉波を受けているものとする。
【００４７】
上記構成において、端末７０２において、任意の周波数帯の干渉電力を測定する要求が発生したとする。例えば、端末７０２において基地局７０１から受信した信号の誤り率特性が急激に劣化したりしたとき、なんらかの干渉波を受けている可能性がある。このような場合その原因を解明し、その干渉波を取り除く、その干渉波が発生している周波数帯の使用を停止する、その干渉波より大きな電力で信号を送信するなどの、対策が必要であるため、端末７０２は任意の周波数帯において基地局７０１が送信している電力以外の電力を測定する必要がある。
【００４８】
基地局７０１では、送信停止予定サブキャリアとその時間の情報を端末７０２に通知した後、上述した図４のように送信停止期間を各サブキャリアに設ける。端末７０２は、基地局７０１が送信停止期間とした時間および周波数において、電力を測定する。
【００４９】
図４の例で説明すると、基地局７０１は時刻ｎ＋４からｎ＋１０の間、サブキャリア＃２の信号の送信を停止する。端末７０２は、時刻ｎ＋７において、周波数ｆ２における電力を測定する。ここで、何らかの電力が測定された場合、この電力は基地局７０１が信号の送信を停止しているのにもかかわらず、測定された電力となるので、基地局７０１と端末７０２の間の通信から見ると干渉電力となる。さらに、時刻ｎ＋３、ｎ＋１１で基地局７０１からの信号電力を測定しておくことで、信号対干渉電力比を求めることができる。また、時刻ｎ＋７で周波数ｆ２の干渉電力を測定すると同時に、サブキャリア＃０、＃４、＃５を用いて基地局７０１と端末７０２は通信を維持する。
【００５０】
上記処理を実現する基地局７０１の送信機の構成は、第１の実施例と同様に図５の構成でよい。端末７０２の受信機の構成は図８に示す。
【００５１】
図８の受信機の構成は、図６の受信機の構成と異なる点は、バンドパスフィルタ８０６を通過した信号Ｓ８０７について電力を測定する干渉電力測定回路８０７と、各サブキャリアの信号Ｓ８０５の電力を測定する信号電力測定回路８０９である。図４の例で説明すると、時間ｎ＋１の時点では、基地局７０１はサブキャリア＃４、＃５における信号送信を停止している。このとき、干渉電力測定回路８０７はサブキャリア＃５における干渉電力を測定している。それと同時に、サブキャリア＃０、＃１、＃２、＃３ではデータを受信しているため、基地局７０１から送信されている電力の測定を信号電力測定回路８０９で測定することができる。
【００５２】
ガードインターバル（ＧＩ）除去部８０１、シリアル／パラレル（Ｓ／Ｐ）変換部８０２、高速フーリエ変換（ＦＦＴ）部８０３、パラレル／シリアル（Ｐ／Ｓ）変換部８０４、ＱＰＳＫ復調部８０５、帯域通過型フィルタ部（ＢＰＦ）８０６は、それぞれ、図６に示したガードインターバル（ＧＩ）除去部６０１、シリアル／パラレル（Ｓ／Ｐ）変換部６０２、高速フーリエ変換（ＦＦＴ）部６０３、パラレル／シリアル（Ｐ／Ｓ）変換部６０４、ＱＰＳＫ復調部６０５、帯域通過型フィルタ部（ＢＰＦ）６０６と同じ動作を行う。
【００５３】
測定領域制御部８１０では、基地局７０１から送信された停止予定サブキャリアおよび停止時間の情報から、端末が電波状態を測定する時間および周波数領域を設定し、干渉電力を測定する時間では制御信号Ｓ８１０を用いてスイッチ８０８をＯＮにして、制御信号Ｓ８１１を用いて帯域通過型フィルタ８０６における通過させる周波数帯域を干渉電力の測定する周波数に設定する。また、制御信号Ｓ８１２を用いて、干渉電力測定回路８０７に対して、干渉電力測定測定のタイミングを知らせる。さらに、制御信号Ｓ８１３を用いて信号電力測定回路８０９を制御し、所定のタイミングで各サブキャリアの信号Ｓ８０５の電力を測定せしめると共に、制御信号Ｓ８１４を用いて、送信停止領域においてＱＰＳＫ復調を行わないように、ＱＰＳＫ復調器８０５を制御する。
【００５４】
パラレルシリアル変換された信号Ｓ８０５について、信号電力測定部８０９で電力を測定することで、干渉電力測定部８０７で測定した干渉電力と比較することで、正確なＳＩＲを測定することができる。
【００５５】
本実施例によって、従来行っていた干渉電力の推定という作業をなくし、干渉電力値を実測で求めるため、干渉電力値の精度の向上が見込まれる。このため、測定した信号電力と干渉電力を用いて、正確なＳＩＲを計算することができる。また、端末７０２は干渉波の電力を測定している間も基地局７０１との通信を切断する必要が無いため、従来の方法より長い送信停止時間を用いて、任意の周波数帯における干渉波電力を高精度に測定することができる。
【実施例３】
【００５６】
図９は、本発明の第３の実施例にかかるマルチキャリア通信システムの構成例である。図９において、スポットエリアのための基地局９０１と端末９０２は、図２の例と同様、各周波数に割りあてられたサブキャリアを用いてマルチキャリア通信９０４しているが、端末９０２は広域通信のための基地局９０３からの信号９０５を受信できる範囲にあるものとする。ここでは、スポットエリア基地局９０１と広域通信基地局９０３は一つシステムであり、互いに基地局の場所や、基地局端末間の同期信号パターンなどは持っているが、基地局同士は非同期のシステムであるものとする。また、基地局９０３は任意の周波数帯において、シンボル同期やフレーム開始位置の同期など、基地局９０３とその通信エリア内にいる端末の間で通信を開始するために必要な同期のための信号を送信しているものとする。
【００５７】
この構成で、端末９０２において、未知の基地局が存在するか否かを判断する要求が発生したとする。例えば、基地局９０１と端末９０２の間でホットスポット高速データ通信を行っている最中に、端末９０２のユーザが安価な広域通信基地局９０３（この時点で端末９０２は基地局９０３があることはわかっていない）を使って、音声通話などを行おうとした時に、端末９０２は基地局９０１に対して、この要求を送信する。そうすると、基地局９０１は端末９０２に対して、送信停止予定サブキャリアとその送信停止時間の情報と、隣接しているセルの情報を提供する。この情報には、隣接セルが送信している同期信号のサブキャリア番号と同期信号のパターンが含まれる。その後、基地局９０１は、各サブキャリアにおいて送信停止期間を作る。端末９０２は基地局９０１から隣接セル情報をもらって、その情報から同期信号が送信されている周波数領域において、順次、観測される信号の同期を行い、基地局９０１から得た同期信号パターンと相関を取ることで、該当基地局の存在を検出する。
【００５８】
上記の処理の流れをシーケンス図で表すと、図１０のようである。
【００５９】
まず、端末９０２は基地局９０１に対して、他の基地局から到来する電波状況の確認要求を出す（ステップ９ａ）。
【００６０】
次に、基地局９０１において、送信を停止できるサブキャリアおよびタイミングを見計らい、停止するサブキャリアの予定を端末９０２に送信する（ステップ９ｂ）。
【００６１】
さらに、基地局９０１は隣接セルにおける同期情報や、拡散コードの情報などを端末９０２に送信する（ステップ９ｃ）。これらの情報は制御信号として、一般のデータより誤り耐性の強い符号化を行って送信する。
【００６２】
基地局９０１は、この予定に従って、サブキャリア毎に、データの送信を停止する。端末９０２では、基地局が送信を停止したサブキャリアにおいて、基地局９０１から得られた隣接セルの情報を用いて隣接セルのサーチ処理を行う。この間、基地局９０１と端末９０２のデータ通信は継続、維持する。
【００６３】
サブキャリアの送信停止の様子を図１１を用いて説明すると、基地局９０１はｆ０の周波数を端末９０２に検索させるために、ｔ＝ｎ＋８からｔ＝ｎ＋１４まで、サブキャリア＃０、＃１の信号の送信を停止する。端末９０２は時間ｔ＝ｎ＋１１において、電力の測定を行って隣接セルサーチ、すなわち周辺基地局の存在有無を検出する。ここで、何らかの信号があることが判明したら、ｔ＝ｎ＋１２において同期を取り、さらに基地局９０１から得られた基地局９０３の同期信号パターンを用いて相関を取ることで、基地局９０３を検出する。また、ｔ＝ｎ＋１１、周波数ｆ０において、電力測定・同期・相関計算などを行うと同時に、サブキャリア＃２、＃３、＃４、＃５を用いて、基地局９０１との通信は維持する。
【００６４】
上述した処理を実現する基地局９０１の送信機の構成は、第１の実施例と同様に図５の構成でよい。端末９０２の受信機の構成を図１２に示す。
【００６５】
図１２の受信機は図６の受信機と比較して、バンドパスフィルタ１２０６を通過した信号Ｓ１２０７について電力を測定する回路１２０７と、その信号を用いてシンボル同期を取る同期回路１２０９と、同期を取った後パイロットなどの既知信号を検出する相関値計算回路１２１０を備えていることが相違点である。
【００６６】
ガードインターバル（ＧＩ）除去部１２０１、シリアル／パラレル（Ｓ／Ｐ）変換部１
２０２、高速フーリエ変換（ＦＦＴ）部１２０３、パラレル／シリアル（Ｐ／Ｓ）変換部１２０４、ＱＰＳＫ復調部１２０５、帯域通過型フィルタ部（ＢＰＦ）１２０６は、それぞれ、図６に示したガードインターバル（ＧＩ）除去部６０１、シリアル／パラレル（Ｓ／Ｐ）変換部６０２、高速フーリエ変換（ＦＦＴ）部６０３、パラレル／シリアル（Ｐ／Ｓ）変換部６０４、ＱＰＳＫ復調部６０５、帯域通過型フィルタ部（ＢＰＦ）６０６と同じ動作を行う。
【００６７】
測定領域制御部１２１１は、基地局９０１から送信された停止予定サブキャリアおよび停止時間の情報から、端末が電力測定・同期・相関値計算を行う時間および周波数領域を設定しこれらの処理を行う時間では制御信号Ｓ１２１１を用いてスイッチ１２０８をＯＮにして、制御信号Ｓ１２１２を用いて帯域通過型フィルタ１２０６における通過させる周波数帯域を、処理を行う対象の周波数に設定する。また、制御信号Ｓ１２１３を用いて、電力測定回路１２０７に対して、電力測定を行うタイミングを知らせる。電力測定の結果S１２０８を用いて同期回路１２０９では同期処理を行う。さらに、同期タイミングS１２０９を用いて相関値計算回路１２１０で相関値計算を行い、相関値計算結果S１２１０を出力する。
【００６８】
一方、制御信号Ｓ１２１４で、パラレルシリアル変換回路１２０４に対して、基地局が送信を停止しているサブキャリアを出力しないように制御する。
【００６９】
本実施例によって、端末９０１は基地局９０３の検出を行っている間でも、基地局９０１との間の通信を切断しなくてよいため、従来の方法より長い送信停止時間をかけることで、高精度に基地局９０３の送信信号の検出をすることができる。基地局９０３を検出し、同期を取ることで、システム間ハンドオーバを行えるかどうかの判断材料や、システム間ハンドオーバを行う際の制御情報の受け渡し、さらには、スポットエリアと広域通信など、他基地局との同時通信を行うための情報を得ることができる。
【実施例４】
【００７０】
図１３は、本発明の第４の実施例にかかるマルチキャリア通信システムの構成例である。基地局１３０１と端末１３０２は上述の実施形態と同様、各周波数に割りあてられたサブキャリアを用いてマルチキャリア通信１３０５をしている。また、基地局１３０１と基地局１３０３は中継局１３０４を介して情報の伝達やタイミングの同期を取ることができるものとする。例えば、基地局１３０１と基地局１３０３は同一システム上の隣接したセルの基地局であり、中継局１３０４は複数の基地局を管理する親基地局のような場合を想定している。
【００７１】
この構成において、端末１３０２において、既知の周辺基地局１３０３から送信されてくる信号の電力測定を行う、という要求が発生したとする。例えば、端末１３０２において、基地局１３０１からの電力が弱くなってきたとき、隣接する基地局１３０３にハンドオーバをするための情報が必要になった場合に、この要求は発生する。この場合の基地局１３０１、端末１３０２、基地局１３０３との間でのやり取りを図１４のシーケンス図で示す。
【００７２】
まず、端末１３０２は基地局１３０１に対して、基地局１３０３から送信される信号の電力を測定する要求を出す（ステップ１４ａ）。
【００７３】
次に、基地局１３０１は中継局１３０４を介して基地局１３０３に対して、基地局１３０３がパイロット信号を送信しているタイミングとその周波数領域の確認を行う（ステップ１４ｂ、１４ｃ）
基地局１３０１は、送信停止可能なサブキャリアとタイミングを決定し、送信停止予定
を基地局１３０３と端末１３０２に対して送信する（ステップ１４ｄ、１４ｅ）。これらの情報は制御信号として、一般のデータより誤り耐性の強い符号化を行って送信する。
【００７４】
基地局４０２では、予定していた時間が来ると予め決めておいたサブキャリアの送信を停止する。基地局１３０３では、基地局１３０１が送信を停止しているサブキャリアの周波数でパイロット信号を送信し、端末１３０３では、基地局１３０３が送信しているパイロット信号の電力を測定する。この間、基地局１３０１と端末１３０２のデータ通信は継続、維持される。
【００７５】
サブキャリアの送信停止の様子を図１５を用いて説明すると、基地局１３０１はｔ＝ｎ＋１からｔ＝ｎ＋５まで、サブキャリア＃０、＃１の信号の送信を停止する。また、ｔ＝ｎ＋３からｔ＝ｎ＋９までの間、サブキャリア＃２、＃３、＃４の信号の送信を停止する。基地局１３０３では、ｔ＝ｎ＋２からｔ＝ｎ＋４までサブキャリア＃０において、また、ｔ＝ｎ＋４からｔ＝ｎ＋８までサブキャリア＃３の信号を送信する。
【００７６】
端末１３０２は、基地局１３０１がサブキャリアの信号送信を停止した期間であるｔ＝ｎ＋２からｔ＝ｎ＋４までの間、サブキャリア＃０に相当する周波数ｆ０の電波状態の測定する。さらに、端末１３０２は、基地局１３０１がサブキャリアの信号送信を停止したもう一つの期間であるｔ＝ｎ＋４からｔ＝ｎ＋８までサブキャリア＃３に相当する周波数ｆ３の電波状態の測定をする。こうすることで、基地局１３０３からの信号の電波状態を把握することができる。そして、これらの電波状態測定中も、送信停止されていないサブキャリアを用いて基地局１３０１との通信を維持することができる。
【００７７】
上述した処理を実現する基地局１３０１、１３０３の送信機の構成は、第１の実施例と同様に図５の構成でよい。端末１３０２の受信機の構成は、図６と同じものである。
【００７８】
本実施例によって、基地局１３０３が信号を送信する時間と周波数帯を、中継局１３０４を介して基地局１３０１が事前に確認を取るため、基地局１３０１が作る送信停止領域を必要最低限の領域にすることができる。よって、第１の実施形態と較べて、基地局がサブキャリアの送信を停止する領域の大きさを小さくすることができ、基地局１３０１と端末１３０２の間の伝送効率を大きく落とすことは無い。また、端末１３０２は基地局１３０１が作った送信停止領域において周辺基地局の電波状態の測定を行うので、基地局１３０１が送信する信号が干渉になることなく、基地局１３０３が送信する信号１３０６の電波状態の測定ができる。また、端末１３０２は周辺基地局の電波状態測定を行っている間でも、基地局１３０１との通信を切断することなく、通信を維持するので、従来の方法より長い送信停止時間を用いて、任意の周波数帯における高精度に電波状態を把握することができる。
【実施例５】
【００７９】
図１６は、本発明の第５の実施例にかかるマルチキャリア通信システムの構成例である。基地局１６０１と端末１６０２は上述の実施形態と同様、各周波数に割りあてられたサブキャリアを用いて通信している。また、基地局１６０１と基地局１６０３は中継局１６０４を介して同期を取ることができるものとする。例えば、基地局１６０１はホットスポットのような高速通信を行うシステムの基地局であり、基地局１６０３は広い通信エリアを持つ低速通信を行うシステムの基地局であり、中継局１６０４は複数の基地局を管理する親基地局であるような場合を想定する。
【００８０】
上記構成で端末１６０２において、既知の周辺基地局１６０３の電力測定・同期・通信を行う、という要求が発生したとする。例えば、基地局１６０１と端末１６０２の間でホットスポット高速データ通信を行っている最中に、端末１６０２のユーザが安価な広域通
信基地局１６０３を使って、音声通話などを行おうとした時に、端末１６０２は基地局１６０１に対して、この要求を送信する。
【００８１】
端末１６０２がこの要求を基地局１６０１に出すと、基地局１６０１は基地局１６０３と中継局６０４を介して同期を取り、基地局１６０１が送信を停止するサブキャリアの番号とその時間の情報を基地局１６０３に伝達する。また、端末１６０２にも同じ情報を伝達する。この場合の基地局１６０１、端末１６０２、基地局１６０３との間でのやり取りは図１７のようである。
【００８２】
まず、端末１６０２は基地局１６０１に対して、基地局１６０３との通信をする要求を出す（ステップ１７ａ）。
【００８３】
次に、基地局１６０１は中継局１６０４を介して基地局１６０３に対して、基地局１６０３がパイロット信号を送信しているタイミングとその周波数領域の確認を行う（ステップ１７ｂ、１７ｃ）
基地局１６０１は送信停止可能なサブキャリアとタイミングを決定し、送信停止予定を基地局１６０３と端末１６０２に対して通知する（ステップ１７ｄ、１７ｅ）。基地局から端末に通知される情報は制御信号として、一般のデータより誤り耐性の強い符号化を行って送信する。
【００８４】
基地局１６０１が予定した時間が来ると、基地局１６０１は予め定めたサブキャリアの送信を停止する。基地局１６０３は、基地局１６０１が送信を停止しているサブキャリアにおいてパイロット信号・同期信号・データを送信し、端末１６０２は、基地局１６０３が送信しているこれらの信号を受信する。この間、基地局１６０１と端末１６０２のデータ通信は継続、維持されている。
【００８５】
サブキャリアの送信停止の様子を、図１８を用いて説明すると、基地局１６０１はｔ＝ｎ＋１からｔ＝ｎ＋５まで、サブキャリア＃０、＃１の信号の送信を停止する。また、ｔ＝ｎ＋３からｔ＝ｎ＋９までの間、サブキャリア＃２、＃３、＃４の信号の送信を停止する。基地局１６０３は、ｔ＝ｎ＋２からｔ＝ｎ＋４までサブキャリア＃０において、また、ｔ＝ｎ＋４からｔ＝ｎ＋８までサブキャリア＃３の信号を送信する。端末１６０２は、基地局１６０１がサブキャリアの信号送信を停止した期間において、周辺基地局の電力測定・同期・通信を行う。例えば、ｔ＝ｎ＋２からｔ＝ｎ＋４までサブキャリア＃０に相当する周波数ｆ０において、基地局１６０３からの信号電力を測定し、ｔ＝ｎ＋４からｔ＝ｎ＋８までサブキャリア＃３に相当する周波数ｆ３において、基地局１６０３とタイミングの同期を取り、通信を行う。また、これらの電波状態測定中も、送信停止されていないサブキャリアを用いて基地局１６０１との通信を維持することができる。
【００８６】
上述した処理を実現するための基地局１６０１、１６０３の送信機の構成は、第１の実施例と同様に図５の構成でよい。端末１６０２の受信機の構成を図１９に示す。
【００８７】
図１９の受信機の構成は図６の受信機と比較して、バンドパスフィルタ１９０６を通過した信号Ｓ１９０７について電力を測定する回路１９０７と、その信号を用いてシンボル同期を取る同期回路１９０９と、同期タイミングＳ１９０９を用いて信号Ｓ１９０７を復調する復調回路１９１０が追加されている。
【００８８】
ガードインターバル（ＧＩ）除去部１９０１、シリアル／パラレル（Ｓ／Ｐ）変換部１９０２、高速フーリエ変換（ＦＦＴ）部１９０３、パラレル／シリアル（Ｐ／Ｓ）変換部１９０４、ＱＰＳＫ復調部１９０５、帯域通過型フィルタ部（ＢＰＦ）１９０６は、それぞれ、図６に示したガードインターバル（ＧＩ）除去部６０１、シリアル／パラレル（Ｓ
／Ｐ）変換部６０２、高速フーリエ変換（ＦＦＴ）部６０３、パラレル／シリアル（Ｐ／Ｓ）変換部６０４、ＱＰＳＫ復調部６０５、帯域通過型フィルタ部（ＢＰＦ）６０６と同じ動作を行う。
【００８９】
測定領域制御部１９１１は、基地局１６０１から送信された停止予定サブキャリアおよび停止時間の情報から、端末が電力測定・同期・相関値計算を行う時間および周波数領域を設定する。これらの処理を行う時間では制御信号Ｓ１９１１を用いてスイッチ１９０８をＯＮにして、制御信号Ｓ１９１２を用いて帯域通過型フィルタ１９０６における通過させる周波数帯域を、処理を行う対象の周波数に設定する。また、制御信号Ｓ１９１３を用いて、電力測定回路１９０７に対して、電力測定・同期・相関値計算開始のタイミングを知らせる。一方、制御信号Ｓ１９１４で、パラレルシリアル変換回路１９０４に対して、基地局が送信を停止しているサブキャリアを出力しないように制御する。電力測定の結果S１９０８を用いて同期回路１９０９では同期処理を行う。さらに、同期タイミングS１９０９を用いて復調回路１９１０で基地局１６０３からの信号に対する復調を行い、復調結果結果S１９１０を出力する。
【００９０】
本実施例によって、基地局１６０３が信号を送信する時間と周波数帯を、中継局１６０４を介して基地局１６０１が事前に確認を取るため、基地局１６０１が作る送信停止領域を必要最低限の領域にすることができる。よって、第１の実施形態に比べて、基地局がサブキャリアの送信を停止する領域の大きさを小さくすることができ、基地局１６０１と端末１６０２の間の伝送効率を大きく落とすことは無い。また、端末１６０２は基地局１６０１が作った送信停止領域において、電波状態の測定・同期・通信を行うので、基地局１６０１が送信する信号が干渉になることなく、基地局１６０３が送信する信号を正しく受信することができる。また、端末１６０２は基地局１６０３からの信号の電波状態測定・同期・通信を行っている間でも、基地局１６０１との通信を切断することなく、通信を維持するので、従来の方法より長い送信停止時間を用いて、高精度に電波状態測定・同期・通信を行う事ができる。
【実施例６】
【００９１】
本実施形態では、上記実施形態における基地局１６０２と周辺基地局１６０３は、中継局１６０４を介して互いの同期信号タイミングや使用している周波数領域の情報を確認しあうことができ、基地局１６０３と端末１６０２が通信を開始するための同期用信号と基地局１６０１と端末１６０２が通信を行うためのデータ信号は周波数的に分離できるものであるが、基地局１６０３のデータ信号と基地局１６０１のデータ信号は周波数的に分離できないものとする。
【００９２】
上記構成において、端末１６０２において、既知の周辺基地局１６０３の電力測定・同期・通信を行う、という要求が発生したとする。例えば、基地局１６０１と端末１６０２の間でデータ通信を行っている最中に、端末１６０２のユーザがさらに高速な通信基地局１６０３を使って、大量のデータを扱おうとしたときなどに、端末１６０２は基地局１６０１に対して、この要求を送信する。端末１６０２がこの要求を基地局１６０１に出すと、基地局１６０１は基地局１６０３と中継局１６０４を介して同期を取り、基地局１６０３が同期信号を送信する周波数とタイミングを基地局１６０１に伝達する。この場合の基地局１６０１、端末１６０２、基地局１６０３との間でのやり取りは図２０のようである。
【００９３】
まず、端末１６０２は基地局１６０１に対して、基地局１６０３との通信をする要求を出す（ステップ２０ａ）。
【００９４】
次に、基地局１６０１は中継局１６０４を介して基地局１６０３に対して、基地局１６
０３が同期信号を送信するタイミングとその周波数領域の確認を行う（ステップ２０ｂ、２０ｃ）
そして、基地局１６０１は送信停止可能なサブキャリアとタイミングを決定し、送信停止予定を基地局１６０３と端末１６０２に対して通知する（ステップ２０ｄ，２０ｅ）。これらの情報は制御信号として、一般のデータより誤り耐性の強い符号化を行って送信する。
【００９５】
基地局１６０１は予定した時間が来ると、予め定めたサブキャリアの送信を停止する。基地局１６０３は、基地局１６０１が送信を停止しているサブキャリアにおいてパイロット信号・同期信号・データを送信し、端末１６０２は、基地局１６０３が送信しているこれらの信号を受信する。この間、基地局１６０１と端末１６０２のデータ通信は継続されたままである。
【００９６】
サブキャリアの送信停止の様子を図２１を用いて説明すると、基地局１６０３はｔ＝ｎ＋３から端末１６０２に対して周波数ｆ３を用いて同期信号の送信を開始する。基地局１６０１では、基地局１６０３が同期信号を送信し始めるより前のｔ＝ｎ＋２から、周波数ｆ３の周辺のサブキャリア＃２、＃３、＃４の送信を停止する。端末１６０２では、周波数ｆ３における基地局１６０３からの同期信号を用いて、基地局１６０３と通信を行うための同期を確立させる。同期を確立させる処理を行っている間、基地局１６０１が送信を停止していないサブキャリア＃０、＃１、＃５を用いて、基地局１６０１との通信を維持している。端末１６０２が基地局１６０３との同期を確立すると、そのことを、基地局１６０１に通知する。基地局１６０１は基地局１６０３に同期確立の通知を行うと、基地局１６０３は基地局１６０１に基地局１６０３から端末１６０２へデータを送信するタイミングとその長さを伝達する。このタイミングは基地局１６０１を介して端末１６０２へも通知される。
【００９７】
図２１の例では、このタイミングはｔ＝ｎ＋８、長さはｔ＝２となる。基地局１６０１は基地局１６０３がデータ送信を開始する直前ｔ＝ｎ＋７に全てのサブキャリアにおいてデータの送信を停止する。基地局１６０３ではｔ＝ｎ＋８、ｎ＋９において、端末１６０２へデータを送信する。基地局１６０３がデータの送信を終了した直後のｔ＝ｎ＋１０から、基地局１６０１は端末１６０２へデータの送信を再開する。
【００９８】
上述した処理を実現するための基地局１６０１、１６０３の送信機の構成は、第１の実施例と同様に図５の構成でよい。端末１６０２の受信機の構成を図２２に示す。
【００９９】
図２２の受信機の構成は図１９の受信機と比較して、復調機２２０９が復調する信号は入力信号Ｓ２２０１になっていて、バンドパスフィルタを通さない信号であることが相違点である。また、測定・復調領域制御部２２１０では、基地局１６０１から送信された停止予定サブキャリアおよび停止時間の情報から、端末が電波状態を測定する時間および周波数領域を設定する電波状態を測定する時間では制御信号Ｓ２２１０を用いてスイッチ２２０８をＯＮにして、制御信号Ｓ２２１１を用いて帯域通過型フィルタ２２０６における通過させる周波数帯域を電波状態の測定する周波数に設定する。また、制御信号Ｓ２２１２を用いて、電力測定・同期回路２２０７に対して、電力測定および同期開始のタイミングを知らせる。同期が確立した後は、その詳細な同期タイミングS２２０８と基地局１６０３がデータを送信してくるタイミングの情報S２２１３を受け取って、復調機２２０９が基地局１６０３からのデータを復調する。一方、制御信号Ｓ２２１４で、パラレルシリアル変換回路２２０４に対して、基地局が送信を停止しているサブキャリアを出力しないように制御する。
【０１００】
本実施例によって、基地局１６０１は基地局１６０３が同期信号を送信する時間と周波
数帯が事前にわかるため、基地局１６０１が作る送信停止領域を必要最低限の領域にできる。このため、第１の実施形態と較べて、基地局がサブキャリアの送信を停止する領域の大きさを小さくすることができ、基地局１６０１と端末１６０２の間の伝送効率を大きく落とすことは無い。また、端末１６０２は基地局１６０１が作った送信停止領域において、電波状態の測定・同期を行うので、基地局１６０１が送信する信号が干渉になることなく、基地局１６０３が送信する信号を受信することができる。また、端末１６０２は基地局１６０３と電波状態測定・同期を行っている間でも、基地局１６０１との通信を切断することなく、通信を維持するので、従来の方法より長い送信停止時間を用いて、高精度に電波状態測定・同期を行う事ができる。
【０１０１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。
【図面の簡単な説明】
【０１０２】
【図１】本発明の第１の実施例にかかる基地局と端末との間の情報のやりとりを示すシーケンス図。
【図２】本発明の第１の実施例にかかるシステム構成を示す概略図。
【図３】サブキャリアの番号と周波数との対応関係を示す図。
【図４】本発明の第１の実施例にかかる送信停止サブキャリアと送信停止期間を示す図。
【図５】本発明の第１の実施例にかかる基地局に用いる送信機の構成例を示すブロック図。
【図６】本発明の第１の実施例にかかる端末に用いる受信機の構成例を示すブロック図。
【図７】本発明の第２の実施例にかかるシステム構成を示す概略図。
【図８】本発明の第２の実施例にかかる端末に用いる受信機の構成例を示すブロック図。
【図９】本発明の第３の実施例にかかるシステム構成を示す概略図。
【図１０】本発明の第３の実施例にかかる基地局と端末との間の情報のやりとりを示すシーケンス図。
【図１１】本発明の第３の実施例にかかる送信停止サブキャリアと送信停止期間を示す図。
【図１２】本発明の第３の実施例にかかる端末に用いる受信機の構成例を示すブロック図。
【図１３】本発明の第４の実施例にかかるシステム構成を示す概略図。
【図１４】本発明の第４の実施例にかかる基地局と端末との間の情報のやりとりを示すシーケンス図。
【図１５】本発明の第４の実施例にかかる送信停止サブキャリアと送信停止期間を示す図。
【図１６】本発明の第５の実施例にかかるシステム構成を示す概略図。
【図１７】本発明の第５の実施例にかかる基地局と端末との間の情報のやりとりを示すシーケンス図。
【図１８】本発明の第５の実施例にかかる送信停止サブキャリアと送信停止期間を示す図。
【図１９】本発明の第５の実施例にかかる端末に用いる受信機の構成例を示すブロック図。
【図２０】本発明の第６の実施例にかかる基地局と端末との間の情報のやりとりを示すシーケンス図。
【図２１】本発明の第６の実施例にかかる送信停止サブキャリアと送信停止期間を示す図。
【図２２】本発明の第６の実施例にかかる端末に用いる受信機の構成例を示すブロック図。
【符号の説明】
【０１０３】
１０１・・・基地局
１０２・・・端末
５０１、６０５・・・ＱＰＳＫ変調器
５０２・・・ヌル信号生成部
５０３、６０２・・・シリアル／パラレル（Ｓ／Ｐ）変換部
５０４・・・逆高速フーリエ変換（ＩＦＦＴ）部
５０５、６０４・・・パラレル／シリアル（Ｐ／Ｓ）変換部
５０６・・・ガードインターバル（ＧＩ）付加部
５０７・・・送信停止領域制御部
６０１・・・ガードインターバル（ＧＩ）除去部
６０３・・・高速フーリエ変換（ＦＦＴ）部
６０５・・・ＱＰＳＫ復調器
６０６・・・帯域通過型フィルタ（ＢＰＦ）
６０７・・・電波状態測定部
６０８・・・測定領域制御部
【図１】
2005094672.tif 000003
【図２】
2005094672.tif 000004
【図３】
2005094672.tif 000005
【図４】
2005094672.tif 000006
【図５】
2005094672.tif 000007
【図６】
2005094672.tif 000008
【図７】
2005094672.tif 000009
【図８】
2005094672.tif 000010
【図９】
2005094672.tif 000011
【図１０】
2005094672.tif 000012
【図１１】
2005094672.tif 000013
【図１２】
2005094672.tif 000014
【図１３】
2005094672.tif 000015
【図１４】
2005094672.tif 000016
【図１５】
2005094672.tif 000017
【図１６】
2005094672.tif 000018
【図１７】
2005094672.tif 000019
【図１８】
2005094672.tif 000020
【図１９】
2005094672.tif 000021
【図２０】
2005094672.tif 000022
【図２２】
2005094672.tif 000023
【図２１】
2005094672.tif 000024